(57)【要約】【課題】所謂平型のショーケースにおいて冷蔵と温蔵の使い分けを可能とする。【解決手段】上方に開口する陳列室１３を備えたショーケース１において、陳列室１３内を冷却する冷却装置Ｒと、陳列室１３内を加熱する電気ヒータＨ１と、冷却装置Ｒ及び電気ヒータＨ１を制御する制御装置を備える。冷却装置Ｒにより陳列室１３内の商品を冷却するモードと、電気ヒータＨ１により陳列室１３内の商品を加温するモードを実行する。これにより、季節や商品の種類に応じて冷蔵／温蔵の使い分けをすることができるようになり、店舗における販売実績の向上に寄与することができるようになる。【選択図】      図５
2005013571.tif 000002
【特許請求の範囲】
【請求項１】
上方に開口する陳列室を備えたショーケースにおいて、
前記陳列室内を冷却する冷却装置と、前記陳列室内を加熱する加熱装置と、前記冷却装置及び加熱装置を制御する制御装置を備えることを特徴とするショーケース。
【請求項２】
前記陳列室内は、少なくとも二つの陳列区画に仕切られており、前記制御装置は、前記冷却装置により前記両陳列区画内を冷却する冷却モードと、前記加熱装置により前記両陳列区画内を加熱する加温モードと、前記冷却装置により一方の前記陳列区画内を冷却しながら前記加熱装置により他方の前記陳列区画内を加熱する冷／温モードとを備えることを特徴とする請求項１のショーケース。
【請求項３】
前記陳列区画には、前記冷却装置からの冷気を該陳列区画内に吐出するための冷気吐出口と、当該陳列区画内を循環した冷気を前記冷却装置に吸い込ませるための冷気吸込口と、前記冷気吐出口及び冷気吸込口を開閉自在に閉塞するためのシャッターが設けられていることを特徴とする請求項２のショーケース。
【請求項４】
前記制御装置は、前記シャッターにより前記冷気吐出口及び／又は冷気吸込口が閉じられた場合、前記加熱装置を発熱させることを特徴とする請求項３のショーケース。
【請求項５】
前記制御装置は、前記両陳列区画の冷気吐出口及び／又は冷気吸込口が前記シャッターにより閉じられた場合、前記冷却装置を停止することを特徴とする請求項４のショーケース。
【請求項６】
前記陳列室の下方に構成された冷却室と、該冷却室内において前記両陳列区画の下方に渡って配設された前記冷却装置の冷却器と、前記冷却室内において前記他方の陳列区画の下方に対応する位置に配設され、前記冷却器の略全域に渡って空気を流通させる送風機とを備え、
前記シャッターにより前記他方の陳列区画の冷気吐出口及び冷気吸込口が閉じられた状態で、前記制御装置は、前記加熱装置により当該他方の陳列区画内を加熱し、前記冷却装置の冷却器と熱交換した冷気を前記送風機により前記一方の陳列区画内に循環させて前記冷／温モードを実行することを特徴とする請求項３、請求項４又は請求項５のショーケース。
【発明の詳細な説明】
【０００１】
【発明の属する技術分野】
本発明は、スーパーマーケットやコンビニエンスストア等の店舗に設置される上方に開口するショーケースに関するものである。
【０００２】
【従来の技術】
従来よりスーパーマーケットやコンビニエンスストア等の店舗では、平型と称される上面開口型のショーケースが設置されており、上方に開口する陳列室内に飲料や食品等の商品を収納陳列し、冷蔵しながら販売している。
【０００３】
ところで、例えば飲料の場合には夏季には冷やして販売する場合が多いが、冬季には温めて販売する必要が生じてくる。この場合、所謂縦型のショーケースでは、通常は冷却される庫内の陳列棚に電気ヒータを取り付け、夏季には庫内に冷気を循環させて陳列棚上の商品を冷蔵し、冬季には冷気循環を停止した状態で電気ヒータに通電し、陳列棚上の商品を加熱できるようにした冷蔵／温蔵切換式のものも開発されている（特許文献１参照）。
【０００４】
【特許文献１】
特開２００２−１６８５４８号公報
【０００５】
【発明が解決しようとする課題】
このような冷蔵と温蔵の使い分けは前述した平型のショーケースにも近年要望されるようになっていたが、従来では係る構造の開発は成されていなかった。
【０００６】
本発明は、係る従来の状況に鑑みて成されたものであり、所謂平型のショーケースにおいて冷蔵と温蔵の使い分けを可能とすることを目的とする。
【０００７】
【課題を解決するための手段】
即ち、本発明では上方に開口する陳列室を備えたショーケースにおいて、陳列室内を冷却する冷却装置と、陳列室内を加熱する加熱装置と、冷却装置及び加熱装置を制御する制御装置を備えるので、上方に開口する所謂平型のショーケースにおいて、前記冷却装置により陳列室内の商品を冷却するモードと、前記加熱装置により陳列室内の商品を加温するモードを実行することが可能となる。これにより、季節や商品の種類に応じて冷蔵／温蔵の使い分けをすることができるようになり、店舗における販売実績の向上に寄与することができるようになる。
【０００８】
請求項２の発明のショーケースでは、上記において陳列室内は、少なくとも二つの陳列区画に仕切られており、制御装置は、冷却装置により両陳列区画内を冷却する冷却モードと、加熱装置により両陳列区画内を加熱する加温モードと、冷却装置により一方の陳列区画内を冷却しながら加熱装置により他方の陳列区画内を加熱する冷／温モードとを備えるので、陳列販売する商品の種類や数量に応じて陳列室内全てを冷却する冷却モードと、全てを加熱する加温モードと、陳列室の一方の陳列区画を冷却しながら他方は加熱する冷／温モードとに使い分けることができるようになり、更なる利便性の向上が図れるものである。
【０００９】
請求項３の発明のショーケースでは、上記において陳列区画には、冷却装置からの冷気をこの陳列区画内に吐出するための冷気吐出口と、当該陳列区画内を循環した冷気を冷却装置に吸い込ませるための冷気吸込口と、冷気吐出口及び冷気吸込口を開閉自在に閉塞するためのシャッターが設けられているので、例えば前記冷／温モードにおいて、加熱装置により加熱される他方の陳列区画のシャッターを閉じることにより、当該陳列区画への冷気の循環を確実に停止して円滑な商品温蔵を実現できるようになるものである。
【００１０】
請求項４の発明のショーケースは、上記において制御装置は、シャッターにより冷気吐出口及び／又は冷気吸込口が閉じられた場合、加熱装置を発熱させるようにしたので、格別なスイッチの切換操作を行うこと無く、シャッターにより冷気吐出口及び／又は冷気吸込口を閉じるだけで前記他方の陳列区画内の加熱を開始することができるようになり、操作性の向上を図ることができるようになるものである。
【００１１】
請求項５の発明のショーケースは、上記において制御装置は、両陳列区画の冷気吐出口及び／又は冷気吸込口がシャッターにより閉じられた場合、冷却装置を停止するようにしたので、格別なスイッチの切換操作を行うこと無く、前記加温モードへの切り換えを行うことができるようになり、操作性の更なる向上を図ることができるようになるものである。
【００１２】
請求項６の発明のショーケースは、請求項３、請求項４又は請求項５において陳列室の下方に構成された冷却室と、この冷却室内において両陳列区画の下方に渡って配設された冷却装置の冷却器と、冷却室内において前記他方の陳列区画の下方に対応する位置に配設され、冷却器の略全域に渡って空気を流通させる送風機とを備え、シャッターにより前記他方の陳列区画の冷気吐出口及び冷気吸込口が閉じられた状態で、制御装置は、加熱装置により当該他方の陳列区画内を加熱し、冷却装置の冷却器と熱交換した冷気を送風機により前記一方の陳列区画内に循環させて冷／温モードを実行するようにしたので、単一の冷却器と送風機により両陳列区画に冷気を循環させることが可能となり、部品コストの削減を図ることができる。
【００１３】
特に、単一の冷却器と送風機により両陳列区画に冷気を循環させる場合、前記一方の陳列区画の下方に対応して送風機を設けて当該一方の陳列区画に冷気を循環させ、前記他方の陳列区画のシャッターは閉じて加熱装置により加熱を行うと、当該他方の陳列区画の下方に対応する部分の冷却器には冷気が流通し難くなるため、着霜が生じて冷気通路が閉塞されてしまうが、本発明では加熱される前記他方の陳列区画の下方に対応して送風機が設けられているので、係る他方の陳列区画下方に対応する部分の冷却器にも冷気が流通され、係る霜閉塞の問題も解消されるものである。
【００１４】
【発明の実施の形態】
次に、図面に基づき本発明の実施形態を詳述する。
【００１５】
【実施例１】
図１は本発明を適用した実施例のショーケース１の斜視図、図２はショーケース１の正面図、図３はショーケース１の平面図、図４はショーケース１の縦断側面図、図５はショーケース１の内部構造を説明するもう一つの縦断側面図である。
【００１６】
ショーケース１は、スーパーマーケットやコンビニエンスストア等の店舗に設置され、ペットボトル入り飲料等の陳列販売に供される所謂平型のオープンショーケースである。このショーケース１は、上方に開口する横長矩形容器状の断熱壁２により本体が構成されており、この断熱壁２の下側に冷却装置Ｒの冷媒回路を構成する圧縮機３や凝縮器４の他、これらを空冷するための凝縮器用送風機６等を設置する機械室５が構成されている。
【００１７】
断熱壁２の左右開口縁には透明壁（ガラス製若しくは硬質樹脂製）から成る側板７、７が立設されている。また、断熱壁２の前後開口縁にも透明壁（ガラス製若しくは硬質樹脂製）から成る縦板８、８が立設されており、これら縦板８、８の上部は所定曲率で湾曲しながら内方に指向されている。
【００１８】
更に、前後の縦板８、８間にはそれらの中央部分に渡って断熱性の区画壁９が取り付けられている。また、この区画壁９の左右における各縦板８、８の内側には間隔を存してこれも透明壁（ガラス製若しくは硬質樹脂製）から成るダクト板１１・・・がそれぞれ立設されており、これらダクト板１１・・・の上端とそれに対応する前後の縦板８、８との間にも間隔が構成されている。また、各ダクト板１１・・・の下端と区画壁９の下端は略同一とされて断熱壁２の底面上方にあり、区画壁９の左右で対を成す前後のダクト板１１、１１には底板１２、１２がそれぞれ着脱可能に載置されている（図３は底板１２、１２を取り外した状態）。
【００１９】
これらダクト板１１・・・と底板１２、１２及び側板７、７で囲繞された空間が上方に開口する陳列室１３とされると共に、この陳列室１３内が区画壁９によって左右に仕切られ、相隣接する陳列区画１６（向かって左側）及び１７（向かって右側）とされている。各底板１２、１２は熱良導性の鋼板から成り、陳列区画１６の底板１２の内部には加熱装置を構成する電気ヒータＨ１が取り付けられ、陳列区画１７の底板１２の内部にも加熱装置を構成する電気ヒータＨ２が取り付けられている。
【００２０】
各底板１２、１２と断熱壁２の底面間は陳列室１３の下方に位置して冷却室１９が構成され、この冷却室１９内には前記冷却装置Ｒの冷媒回路を構成する冷却器２１と冷気循環用の送風機２２が設置されている。また、後側の縦板８とその内側の左右のダクト板１１、１１下部間には複数のスリットから成る冷気吐出口２３、２４が構成され、それぞれ冷却室１９と連通している。更に、前側の縦板８とその内側の左右のダクト板１１、１１下部間には複数のスリットから成る冷気吸込口２６、２７が構成され、それぞれ冷却室１９と連通している。
【００２１】
前記冷却器２１は冷媒配管と複数の熱交換用フィンから成る所謂プレートフィンタイプの熱交換器であり、冷却室１９内において一方の陳列区画１７から他方の陳列区画１６の下方に渡って配置されている（図３参照）。また、送風機２２は冷却器２１の前側であって他方の陳列区画１６の下方に対応する位置に配置され、周囲はファンケーシング３１で囲繞されている。このファンケーシング３１は前面にて斜め上前方に開口し、後面は冷却器２１に連通している。また、一方の陳列区画１７の下方に対応する位置の冷却器２１前側には、後側及び左側に開放した高圧室３２が構成され、この高圧室３２はファンケーシング３１の後部に連通している。
【００２２】
また、左右の陳列区画１６、１７の冷気吐出口２３、２４及び冷気吸込口２６、２７にはそれぞれシャッターＳ・・・が取り付けられている。各シャッターＳ・・・は図６に示すような化粧ネジ３３を緩めることで手動により左右に移動自在とされ、それによって各冷気吐出口２３、２４及び冷気吸込口２６、２７をそれぞれ開閉自在とされている（図６は陳列区画１６の冷気吐出口２３部分を示す）。尚、３４は区画壁９に取り付けられた温度計であり、ロードラインの高さに合致している。また、３６は冷／温表示板や広告板を取り付けるためのガイドである。
【００２３】
次に、図７はショーケース１の制御装置Ｃの電気回路を示している。前記圧縮機３は冷却用コントローラ４１とオーバーロードリレー４２を介して単相１００Ｖ電源ＡＣに接続されている。尚、冷却用コントローラ４１は冷却器２１の吐出側冷気温度に基づいて冷気温度が所定の冷蔵温度となるように圧縮機３をＯＮ−ＯＦＦ制御する。４３は始動リレー、４４、４６は運転コンデンサ及び始動コンデンサである。また、４７は運転スイッチであり、４８はそれに直列に接続されたモード切換スイッチである。モード切換スイッチ４８の冷／温接点には補助リレー４９が電源ＡＣに対して直列に接続され、温接点には補助リレー５１が電源ＡＣに対して直列に接続されている。
【００２４】
運転スイッチ４７とモード切換スイッチ４８の間には補助リレー４９の常開接点４９Ａと補助リレー５１の接点５１Ａが並列に接続され、接点４９Ａと電源ＡＣ間にはマグネットスイッチ５２が接続されている。また、接点５１Ａの常閉端子には冷却用コントローラ４１の電源４１Ａと凝縮器用送風機６と送風機２２と、フィルタセンサ５３及びパイロットランプ５４の直列回路が電源ＡＣ間に並列接続されている。更に、接点５１Ａの常開端子は常開接点４９Ａとマグネットスイッチ５２間に接続されている。
【００２５】
このマグネットスイッチ５２の常開接点５２Ａの後段には加温用コントローラ５６と前記電気ヒータＨ１及び過熱防止器５７の直列回路と、リレー５１の常開接点５１Ｂと加温用コントローラ５８と前記電気ヒータＨ２及び過熱防止器５９の直列回路が並列に接続されている。加温用コントローラ５６は陳列区画１６内の温度に基づき、当該陳列区画１６内が所定の温蔵温度となるように電気ヒータＨ１の通電をＯＮ−ＯＦＦ制御すると共に、加温用コントローラ５８は陳列区画１７内の温度に基づき、当該陳列区画１７内が所定の温蔵温度となるように電気ヒータＨ２の通電をＯＮ−ＯＦＦ制御する。
【００２６】
以上の構成で次に本発明のショーケース１の動作を説明する。尚、両陳列区画１６、１７の底板１２、１２上にはペットボトル入り飲料等の商品が載置され、陳列されているものとする。
【００２７】
（１）冷却モード
先ず、夏季等に両陳列区画１６、１７を冷却する冷却モードとする場合は、各陳列区画１６、１７の冷気吐出口２３、２４及び冷気吸込口２６、２７のシャッターＳを開き、運転スイッチ４７をＯＮすると共に、モード切換スイッチ４８を冷接点とする。このとき、補助リレー４９、５１には通電されないので、接点４９Ａが開いている。従って、マグネットスイッチ５２には通電されず、接点５２Ａは開いているので、この接点５２Ａ以降の回路の電気ヒータＨ１、Ｈ２には通電が成されない。また、接点５１Ａは常閉端子に閉じているので、冷却用コントローラ４１の電源４１Ａに給電されると共に、凝縮器用送風機６及び送風機２２が運転される。
【００２８】
これにより、冷却用コントローラ４１は前述した如く冷却器２１の吐出側冷気温度に基づいて圧縮機３をＯＮ−ＯＦＦする。圧縮機３が運転されると冷却器２１が冷却作用を発揮する。また、送風機２２も運転されているので、冷却室１９内の空気を吸い込み、冷却器２１側に吐出する。送風機２２から吐出された空気はその後方の部分、即ち、陳列区画１６の下方に対応する部分の冷却器２１内に流入する。また、高圧室３２にも空気は流入した後、陳列区画１７の下方に対応する部分の冷却器２１内にも流入する（図３に矢印絵で示す）。
【００２９】
このようにして冷却器２１の略全域に渡って空気は流通され、熱交換して冷却された後、各冷気吐出口２３、２４から各陳列区画１６、１７内に吐出される（図５に矢印で示す）。そして、冷気は陳列区画１６、１７内を循環して底板１２、１２上の商品を冷却した後、各冷気吸込口２６、２７から吸い込まれて冷却室１９に帰還して再び送風機２２に吸い込まれる。これによって、両陳列区画１６、１７内は単一の冷却器２１と送風機２２により所定の冷蔵温度に冷却される。
【００３０】
（２）冷／温モード
次に、冷却する商品と加温する商品とが混在する場合等、向かって左側の陳列区画１６を加温し、向かって右側の陳列区画１７を冷却する冷／温モードとする場合は、図９の如く陳列区画１６の冷気吐出口２３及び冷気吸込口２６のシャッターＳ、Ｓを閉じ、陳列区画１７の冷気吐出口２４及び冷気吸込口２７のシャッターＳ、Ｓは開いたままとし、運転スイッチ４７をＯＮしてモード切換スイッチ４８を冷／温接点に切り換える。これにより、補助リレー４９は通電され、補助リレー５１は非通電のままとなる。
【００３１】
補助リレー４９の通電により接点４９Ａが閉じるのでマグネットスイッチ５２が通電され、接点５２Ａが閉じる。これにより、加温用コントローラ５６を介して陳列区画１６の底板１２に取り付けられた電気ヒータＨ１に通電されるようになる。尚、接点５１Ａは常閉端子に閉じたままなので、冷却用コントローラ４１は継続して圧縮機３を運転し、送風機６、２２も継続して運転される。また、接点５１Ｂは開いたままなので陳列区画１７の底板１２の電気ヒータＨ２には通電されない。
【００３２】
圧縮機３と送風機２２が運転されることで、冷却器２１と熱交換した冷気は送風機２２により循環されるが、このとき陳列区画１６の冷気吐出口２３と冷気吸込口２６のシャッターＳは閉じているので冷気は陳列区画１６内に循環されない（図９）。そして、電気ヒータＨ１が発熱し、加温用コントローラ５６で通電制御されることで、陳列区画１６内は所定の温蔵温度に加温される。
【００３３】
一方、送風機２２から吐出された冷気は図８に矢印で示す如く、その後方の部分、即ち、陳列区画１６の下方に対応する部分の冷却器２１内を通過するが、前述の如く冷気吐出口２３のシャッターＳが閉じているため、図８に矢印で示す如く冷気吐出口２４方向に向かう。また、高圧室３２に流入した冷気は前述同様に陳列区画１７の下方に対応する部分の冷却器２１内に流入する。
【００３４】
このようにしてこの場合も冷却器２１の略全域に渡って冷気は流通され、熱交換して冷却された後、冷気吐出口２４から陳列区画１７内に吐出される。そして、冷気は陳列区画１７内を循環して底板１２上の商品を冷却した後、冷気吸込口２７から吸い込まれて冷却室１９に帰還して再び送風機２２に吸い込まれる。これによって、陳列区画１７内は所定の冷蔵温度に冷却される。
【００３５】
ここで、実施例の如く単一の冷却器２１と送風機２２により冷却モードのときに両陳列区画１６、１７に冷気を循環させる場合、陳列区画１７の下方に対応して送風機２２を設け、冷／温モードにおいて当該陳列区画１７に冷気を循環させ、陳列区画１６のシャッターＳは閉じて電気ヒータＨ１により加熱を行う構造とすると、当該陳列区画１６の下方に対応する部分の冷却器２１には冷気が流通し難くなるため、この部分に着霜が生じて冷気通路が閉塞されてしまう問題が生じるが、上述の如き構造として加熱される陳列区画１６の下方に対応して送風機２２を設ければ、係る陳列区画１６下方に対応する部分の冷却器２１にも冷気が流通されるので、係る霜閉塞の問題も解消される。
【００３６】
（３）加温モード
次に、冬季等に両陳列区画１６、１７を加温する加温モードとする場合は、運転スイッチ４７をＯＮとし、モード切換スイッチ４８を温接点とする。これにより、補助リレー５１に通電される。このとき、各シャッターＳ・・・は閉じても閉じなくても良い。
【００３７】
補助リレー５１の通電により接点５１Ａが常開端子に閉じるので、マグネットスイッチ５２が通電され、接点５２Ａが閉じる。これにより、加温用コントローラ５６を介して陳列区画１６の底板１２に取り付けられた電気ヒータＨ１に通電されるようになる。また、接点５１Ｂも閉じるので陳列区画１７の底板１２の電気ヒータＨ２にも通電されるようになる。
【００３８】
一方、冷却用コントローラ４１、送風機６、２２、フィルタセンサ５３等には通電されなくなるので、冷却装置Ｒ及び送風機２２は運転を停止する。そして、電気ヒータＨ１及びＨ２が発熱し、加温用コントローラ５６及び５８で通電制御されることで、各陳列区画１６、１７内は所定の温蔵温度に加温されることになる。
【００３９】
【実施例２】
次に、図１０には本発明のもう一つの実施例の制御装置Ｃの電気回路を示す。尚、図７中と同一符号で示すものは同一若しくは同様の機能を奏するものとする。この場合、図７のモード切換スイッチ４８は設けられず、代わりにその位置に温モードスイッチ６１が接続され、この温モードスイッチ６１と電源ＡＣ間には補助リレー６２が接続される。また、図７の接点５１Ａの位置には補助リレー６２の接点６２Ａが接続され、接点４９Ａの位置には陳列区画１６の冷気吐出口２３（及び／又は冷気吸込口２６）の開閉に連動して開閉するリミットスイッチ６３が接続される。このリミットスイッチ６３はシャッターＳを閉じると接点を閉じ、開くと接点を開く。更に、図７の接点５１Ｂの位置には補助リレー６２の常開接点６２Ｂが接続される。
【００４０】
（１）冷却モード
以上の構成で両陳列区画１６、１７を冷却する冷却モードとする場合は、各陳列区画１６、１７の冷気吐出口２３、２４及び冷気吸込口２６、２７のシャッターＳを開き、運転スイッチ４７をＯＮすると共に、温モードスイッチ６１はＯＦＦ（接点開）する。これにより、補助リレー６２には通電されないので、接点６２Ａは常閉端子に閉じており、冷却用コントローラ４１の電源４１Ａに給電されると共に、凝縮器用送風機６及び送風機２２が運転される。
【００４１】
また、冷気吐出口２３（及び／又は冷気吸込口２６）のシャッターＳが開いているので、リミットスイッチ６３も開いている。従って、マグネットスイッチ５２には通電されず、接点５２Ａは開いているので、この接点５２Ａ以降の回路の電気ヒータＨ１、Ｈ２には通電が成されない。これにより、前述同様に両陳列区画１６、１７内は単一の冷却器２１と送風機２２により所定の冷蔵温度に冷却される。
【００４２】
（２）冷／温モード
次に、向かって左側の陳列区画１６を加温し、向かって右側の陳列区画１７を冷却する冷／温モードとする場合は、図９の如く陳列区画１６の冷気吐出口２３及び冷気吸込口２６のシャッターＳ、Ｓを閉じ、陳列区画１７の冷気吐出口２４及び冷気吸込口２７のシャッターＳ、Ｓは開いたままとし、運転スイッチ４７をＯＮして温モードスイッチ６１はＯＦＦのままとする。冷気吐出口２３（及び／又は冷気吸込口２６）のシャッターＳが閉じられたことでリミットスイッチ６３も接点を閉じるのでマグネットスイッチ５２が通電され、接点５２Ａが閉じる。これにより、加温用コントローラ５６を介して陳列区画１６の底板１２に取り付けられた電気ヒータＨ１に通電されるようになる。
【００４３】
尚、接点６２Ａは常閉端子に閉じたままなので、冷却用コントローラ４１は継続して圧縮機３を運転し、送風機６、２２も継続して運転される。また、接点６２Ｂは開いたままなので陳列区画１７の底板１２の電気ヒータＨ２には通電されない。
【００４４】
これによって、前述同様に陳列区画１７内は所定の冷蔵温度に冷却されると共に、陳列区画１６内は所定の温蔵温度に加温されるようになる。特に、この場合は冷気吐出口２３（及び／又は冷気吸込口２６）のシャッターＳを閉じることで陳列区画１６の底板１２の電気ヒータＨ１が通電され、発熱するようにしたので、前述の如きモード切換スイッチの切換操作を行うこと無く、シャッターＳにより冷気吐出口２３（及び／又は冷気吸込口２６）を閉じるだけで陳列区画１６内の加熱を開始することができるようになり、操作性の向上を図ることができるようになる。
【００４５】
（３）加温モード
次に、両陳列区画１６、１７を加温する加温モードとする場合は、運転スイッチ４７をＯＮとし、温モードスイッチ６１をＯＮ（閉）する。このとき、各シャッターＳ・・・は閉じても閉じなくても良い。これにより、補助リレー６２に通電される。
【００４６】
補助リレー６２の通電により接点６２Ａが常開端子に閉じるので、マグネットスイッチ５２が通電され、接点５２Ａが閉じる。これにより、加温用コントローラ５６を介して陳列区画１６の底板１２に取り付けられた電気ヒータＨ１に通電されるようになる。また、接点６２Ｂも閉じるので陳列区画１７の底板１２の電気ヒータＨ２にも通電されるようになる。
【００４７】
一方、冷却用コントローラ４１、送風機６、２２、フィルタセンサ５３等には通電されなくなるので、冷却装置Ｒ及び送風機２２は運転を停止する。そして、電気ヒータＨ１及びＨ２が発熱し、加温用コントローラ５６及び５８で通電制御されることで、各陳列区画１６、１７内は所定の温蔵温度に加温されることになる。
【００４８】
【実施例３】
次に、図１１には本発明の更にもう一つの実施例の制御装置Ｃの電気回路を示す。尚、図７中と同一符号で示すものは同一若しくは同様の機能を奏するものとする。この場合、運転スイッチ４７には陳列区画１６の冷気吐出口２３（及び／又は冷気吸込口２６）のシャッターＳの開閉に連動して接点が開閉するリミットスイッチ６６と補助リレー６７が電源ＡＣに対して直列に接続され、運転スイッチ４７とリミットスイッチ６６の間には、陳列区画１７の冷気吐出口２４（及び／又は冷気吸込口２７）のシャッターＳの開閉に連動して接点が開閉するリミットスイッチ６８と補助リレー６９が電源ＡＣに対して直列に接続される。
【００４９】
各リミットスイッチ６６、６８はシャッターＳを閉じると接点を閉じ、開くと接点を開く。また、図７の接点５１Ａの位置には補助リレー６７及び６９の常閉接点６７Ａ及び６９Ａの並列回路が接続される。更に、マグネットスイッチ５２は設けられない。また、加温用コントローラ５６と電気ヒータＨ１の直列回路の前後には補助リレー６７の常開接点６７Ｂ、６７Ｃが接続され、これらの直列回路が電源ＡＣに接続される。更に、加温用コントローラ５８と電気ヒータＨ２の直列回路の前後には補助リレー６９の常開接点６９Ｂ、６９Ｃが接続され、これらの直列回路が電源ＡＣに接続される。
【００５０】
（１）冷却モード
以上の構成で両陳列区画１６、１７を冷却する冷却モードとする場合は、各陳列区画１６、１７の冷気吐出口２３、２４及び冷気吸込口２６、２７のシャッターＳを開き、運転スイッチ４７をＯＮする。冷気吐出口２３（及び／又は冷気吸込口２６）と冷気吐出口２４（及び／又は冷気吸込口２７）のシャッターＳ、Ｓが開いているので、リミットスイッチ６６及び６８も開いている。従って、補助リレー６７及び６９には通電されないので、接点６７Ａ及び６９Ａは常閉端子に閉じている。これにより、冷却用コントローラ４１の電源４１Ａに給電されると共に、凝縮器用送風機６及び送風機２２が運転される。
【００５１】
また、接点６７Ｂ、６７Ｃ及び接点６９Ｂ、６９Ｃが開いているので電気ヒータＨ１、Ｈ２には通電が成されない。これにより、前述同様に両陳列区画１６、１７内は単一の冷却器２１と送風機２２により所定の冷蔵温度に冷却される。
【００５２】
（２）冷／温モード
次に、向かって左側の陳列区画１６を加温し、向かって右側の陳列区画１７を冷却する冷／温モードとする場合は、図９の如く陳列区画１６の冷気吐出口２３及び冷気吸込口２６のシャッターＳ、Ｓを閉じ、陳列区画１７の冷気吐出口２４及び冷気吸込口２７のシャッターＳ、Ｓは開いたままとし、運転スイッチ４７をＯＮする。冷気吐出口２３（及び／又は冷気吸込口２６）のシャッターＳが閉じられたことでリミットスイッチ６６も接点を閉じるので補助リレー６７に通電される。これにより、接点６７Ｂ及び６７Ｃが閉じるので、加温用コントローラ５６を介して陳列区画１６の底板１２に取り付けられた電気ヒータＨ１に通電されるようになる。
【００５３】
一方、補助リレー６９には通電されないので、接点６９Ａは閉じたままなので、冷却用コントローラ４１は継続して圧縮機３を運転し、送風機６、２２も継続して運転される。また、接点６９Ｂ及び６９Ｃは開いたままなので陳列区画１７の底板１２の電気ヒータＨ２には通電されない。
【００５４】
これによって、前述同様に陳列区画１７内は所定の冷蔵温度に冷却されると共に、陳列区画１６内は所定の温蔵温度に加温されるようになる。特に、この場合も冷気吐出口２３（及び／又は冷気吸込口２６）のシャッターＳを閉じることで陳列区画１６の底板１２の電気ヒータＨ１が通電され、発熱するので、前述同様モード切換スイッチの切換操作を行うこと無く、シャッターＳにより冷気吐出口２３（及び／又は冷気吸込口２６）を閉じるだけで陳列区画１６内の加熱を開始することができるようになり、操作性の向上を図ることができるようになる。
【００５５】
（３）加温モード
次に、両陳列区画１６、１７を加温する加温モードとする場合は、運転スイッチ４７をＯＮとし、冷気吐出口２３、２４及び冷気吸込口２６、２７の各シャッターＳ・・・を閉じる。これにより、両リミットスイッチ６６、６８が閉じるので、両補助リレー６７及び６９に通電される。
【００５６】
補助リレー６７及び６９の通電により接点６７Ｂ、６７Ｃ及び６９Ｂ、６９Ｃが閉じる。これにより、加温用コントローラ５６を介して陳列区画１６の底板１２に取り付けられた電気ヒータＨ１に通電されるようになると共に、陳列区画１７の底板１２の電気ヒータＨ２にも通電されるようになる。
【００５７】
一方、接点６７Ａ及び６９Ａが開くので、冷却用コントローラ４１、送風機６、２２、フィルタセンサ５３等には通電されなくなり、冷却装置Ｒ及び送風機２２は運転を停止する。そして、電気ヒータＨ１及びＨ２が発熱し、加温用コントローラ５６及び５８で通電制御されることで、各陳列区画１６、１７内は所定の温蔵温度に加温されることになる。
【００５８】
このように、この場合の回路によれば両陳列区画１６、１７の冷気吐出口２３、２４（及び／又は冷気吸込口２６、２７）のシャッターＳ、Ｓを閉じることで冷却装置Ｒを停止するようにしたので、格別なスイッチの切換操作を行うこと無く、加温モードへの切り換えを行うことができるようになり、操作性の更なる向上を図ることができるようになる。
【００５９】
尚、各実施例では陳列室１３内を左右二室（陳列区画１６と１７）に仕切ったが、更に多くの陳列区画に仕切っても良い。
【００６０】
【発明の効果】
以上詳述した如く、本発明によれば上方に開口する陳列室を備えたショーケースにおいて、陳列室内を冷却する冷却装置と、陳列室内を加熱する加熱装置と、冷却装置及び加熱装置を制御する制御装置を備えるので、上方に開口する所謂平型のショーケースにおいて、前記冷却装置により陳列室内の商品を冷却するモードと、前記加熱装置により陳列室内の商品を加温するモードを実行することが可能となる。これにより、季節や商品の種類に応じて冷蔵／温蔵の使い分けをすることができるようになり、店舗における販売実績の向上に寄与することができるようになる。
【００６１】
また、請求項２の発明によれば、上記に加えて陳列室内は、少なくとも二つの陳列区画に仕切られており、制御装置は、冷却装置により両陳列区画内を冷却する冷却モードと、加熱装置により両陳列区画内を加熱する加温モードと、冷却装置により一方の陳列区画内を冷却しながら加熱装置により他方の陳列区画内を加熱する冷／温モードとを備えるので、陳列販売する商品の種類や数量に応じて陳列室内全てを冷却する冷却モードと、全てを加熱する加温モードと、陳列室の一方の陳列区画を冷却しながら他方は加熱する冷／温モードとに使い分けることができるようになり、更なる利便性の向上が図れるものである。
【００６２】
また、請求項３の発明によれば、上記に加えて陳列区画には、冷却装置からの冷気をこの陳列区画内に吐出するための冷気吐出口と、当該陳列区画内を循環した冷気を冷却装置に吸い込ませるための冷気吸込口と、冷気吐出口及び冷気吸込口を開閉自在に閉塞するためのシャッターが設けられているので、例えば前記冷／温モードにおいて、加熱装置により加熱される他方の陳列区画のシャッターを閉じることにより、当該陳列区画への冷気の循環を確実に停止して円滑な商品温蔵を実現できるようになるものである。
【００６３】
また、請求項４の発明によれば、上記に加えて制御装置は、シャッターにより冷気吐出口及び／又は冷気吸込口が閉じられた場合、加熱装置を発熱させるようにしたので、格別なスイッチの切換操作を行うこと無く、シャッターにより冷気吐出口及び／又は冷気吸込口を閉じるだけで前記他方の陳列区画内の加熱を開始することができるようになり、操作性の向上を図ることができるようになるものである。
【００６４】
また、請求項５の発明によれば、上記に加えて制御装置は、両陳列区画の冷気吐出口及び／又は冷気吸込口がシャッターにより閉じられた場合、冷却装置を停止するようにしたので、格別なスイッチの切換操作を行うこと無く、前記加温モードへの切り換えを行うことができるようになり、操作性の更なる向上を図ることができるようになるものである。
【００６５】
また、請求項６の発明によれば、請求項３、請求項４又は請求項５に加えて陳列室の下方に構成された冷却室と、この冷却室内において両陳列区画の下方に渡って配設された冷却装置の冷却器と、冷却室内において前記他方の陳列区画の下方に対応する位置に配設され、冷却器の略全域に渡って空気を流通させる送風機とを備え、シャッターにより前記他方の陳列区画の冷気吐出口及び冷気吸込口が閉じられた状態で、制御装置は、加熱装置により当該他方の陳列区画内を加熱し、冷却装置の冷却器と熱交換した冷気を送風機により前記一方の陳列区画内に循環させて冷／温モードを実行するようにしたので、単一の冷却器と送風機により両陳列区画に冷気を循環させることが可能となり、部品コストの削減を図ることができる。
【００６６】
特に、単一の冷却器と送風機により両陳列区画に冷気を循環させる場合、前記一方の陳列区画の下方に対応して送風機を設けて当該一方の陳列区画に冷気を循環させ、前記他方の陳列区画のシャッターは閉じて加熱装置により加熱を行うと、当該他方の陳列区画の下方に対応する部分の冷却器には冷気が流通し難くなるため、着霜が生じて冷気通路が閉塞されてしまうが、本発明では加熱される前記他方の陳列区画の下方に対応して送風機が設けられているので、係る他方の陳列区画下方に対応する部分の冷却器にも冷気が流通され、係る霜閉塞の問題も解消されるものである。
【図面の簡単な説明】
【図１】本発明を適用した実施例のショーケースの斜視図である。
【図２】図１のショーケースの正面図である。
【図３】図１のショーケースの平面図である。
【図４】図１のショーケースの縦断側面図である。
【図５】図１のショーケースの内部構造を説明するもう一つの縦断側面図である。
【図６】シャッターを開いた状態の図１のショーケースの冷気吐出口部分の拡大断面図である。
【図７】図１のショーケースの制御装置の電気回路図である。
【図８】図１のショーケースのもう一つの平面図である。
【図９】シャッターを閉じた状態の図１のショーケースの冷気吐出口部分の拡大断面図である。
【図１０】本発明のショーケースもう一つの実施例の制御装置の電気回路図である。
【図１１】本発明のショーケース更にもう一つの実施例の制御装置の電気回路図である。
【符号の説明】
１  ショーケース
２  断熱壁
３  圧縮機
９  区画壁
１２  底板
１３  陳列室
１６、１７  陳列区画
１９  冷却室
２１  冷却器
２２  送風機
２３、２４  冷気吐出口
２６、２７  冷気吸込口
６３、６６、６８  リミットスイッチ
Ｈ１、Ｈ２  電気ヒータ（加熱装置）
Ｒ  冷却装置
Ｓ  シャッター
【図１】
2005013571.tif 000003
【図２】
2005013571.tif 000004
【図３】
2005013571.tif 000005
【図４】
2005013571.tif 000006
【図５】
2005013571.tif 000007
【図６】
2005013571.tif 000008
【図７】
2005013571.tif 000009
【図８】
2005013571.tif 000010
【図９】
2005013571.tif 000011
【図１０】
2005013571.tif 000012
【図１１】
2005013571.tif 000013